(57)【要約】【課題】  原稿の両面画像を同時に読み取る場合に、画質を統一した画像読み取りと、スピードを優先した画像読み取りとを切り替えることである。【解決手段】  第１と第２の読み取り手段により原稿の両面読み取りが設定されたかどうかを判断する（Ｓ８０１）。そして、ＣＰＵが原稿の両面読み取りが設定されていると判別した場合は、原稿の表面を第１の読み取り手段で読み取り、かつ、前記原稿の裏面を第２の読み取り手段で同時に読み取る同時読み取るモードで原稿を読み取る（Ｓ８０３）。一方、第１、及び第２の読み取り手段のいずれか一方の読み取り手段を用いて原稿の表面と裏面の双方を読み取る反転読み取りモードで原稿を読み取る（Ｓ８０４）構成を特徴とする。【選択図】  図８
2008054140.tif 000002
【特許請求の範囲】
【請求項１】
搬送される原稿の表面を画像データとして読み取る第１の読取手段と、
搬送される原稿の裏面を画像データとして読み取る第２の読取手段と、
搬送される原稿の両面を画像データとして読み取る両面読取か、搬送される原稿の表面又は裏面のいずれか一面を画像データとして読み取る片面読取かを設定する設定手段と、
前記設定手段により、前記両面読取が設定された場合、前記原稿の表面を第１の読取手段で読み取るとともに前記原稿の裏面を第２の読取手段で読み取る第１読取モードと、前記第１の読取手段及び前記第２の読取手段のいずれか一方の読取手段を用いて原稿の表面と裏面の双方を読み取る第２読取モードのいずれかのモードにて前記原稿の両面を画像データとして読み取るよう制御する制御手段と、
を有することを特徴とする画像読取装置。
【請求項２】
前記第１読取モードあるいは前記第２読取モードを指定する指定手段と、
前記両面読取が設定された場合、前記指定手段により前記第１読取モードが指定されているかどうかを判別する第１の判別手段とを有し、
前記制御手段は、前記第１の判別手段により前記第１読取モードが指定されていると判別された場合は前記第１読取モードで前記原稿の両面を読み取らせ、前記第１の判別手段により前記第１読取モードが指定されていない場合は前記第２読取モードで前記原稿の両面を読み取らせるよう制御することを特徴とする請求項１記載の画像読取装置。
【請求項３】
前記設定手段により前記両面読取が設定され、かつ前記指定手段により前記第１読取モードが指定された場合、前記第２の読取手段が読み取る原稿の裏面が特定画像であるか否かを判別する第２の判別手段とを有し、
前記制御手段は、前記第２の判別手段により前記第２の読取手段が読み取った前記原稿の裏面が特定画像であると判別した場合に、前記第１読取モードから前記第２読取モードへ切り替えることを特徴とする請求項２に記載の画像読取装置。
【請求項４】
前記設定手段により前記両面読取が設定され、かつ前記指定手段により前記第１読取モードが指定された場合、前記第２の読取手段が読み取る原稿の裏面が特定画像であるか否かを判別する第２の判別手段とを有し、
前記第２の判別手段が前記第２の読取手段が読み取った原稿の裏面が特定画像であると判別した場合に、前記第１読取モードから前記第２読取モードへ切り替えて読み取りを継続するか否かを確認する画面を表示部に表示する確認手段とを有し、
前記制御手段は、前記確認手段により前記表示部に表示された画面で継続要求が指示された場合に、前記第１読取モードから前記第２読取モードへ切り替えることを特徴とする請求項２に記載の画像読取装置。
【請求項５】
前記設定手段により前記両面読取が設定され、かつ前記指定手段により前記第１読取モードが指定された場合、前記第１の読取手段または前記第２の読取手段が読み取った原稿が特定画像であるかを判別する第３の判別手段と、
前記第３の判別手段が前記特定画像を読み取ったと判別した読取手段を、前記特定画像を読み取るための読取手段として特定する特定手段とを有し、
前記制御手段は、前記特定手段により前記第１の読取手段が特定されており前記第３の判別手段が前記第２の読取手段が読み取った原稿の裏面が前記特定画像であると判別した場合に、前記第１読取モードを前記第２読取モードに切り替えて前記原稿の裏面を前記第１の読取手段に読み取らせ、前記特定手段により前記第２の読取手段が特定されており前記第３の判別手段が前記第１の読取手段が読み取った原稿の表面が前記特定画像であると判別した場合に、前記第１読取モードを前記第２読取モードに切り替えて前記原稿の表面を前記第２の読取手段に読み取らせることを特徴とする請求項１に記載の画像読取装置。
【請求項６】
前記特定手段は、前記第１の読取手段と前記第２の読取手段が読み取る原稿のうち、最初に前記第１の読取手段が読み取った原稿が特定画像であった場合に、前記第１の読取手段を特定し、最初に前記第１の読取手段が読み取った原稿が特定画像でなく、最初に前記第２の読取手段が読み取った原稿が特定画像であった場合に、前記第２の読取手段を特定することを特徴とする請求項５に記載の画像読取装置。
【請求項７】
前記特定画像は、写真画像であることを特徴とする請求項３〜６のいずれかに記載の画像読取装置。
【請求項８】
搬送される原稿の表面を画像データとして読み取る第１の読取手段と、搬送される原稿の裏面を画像データとして読み取る第２の読取手段とを有する画像読取装置の制御方法であって、
搬送される原稿の両面を画像データとして読み取る両面読取か、搬送される原稿の表面又は裏面のいずれか一面を画像データとして読み取る片面読取かを設定する設定工程と、
前記設定工程により、前記両面読取が設定された場合、前記原稿の表面を第１の読取手段で読み取るとともに前記原稿の裏面を第２の読取手段で読み取る第１読取モードと、前記第１の読取手段及び前記第２の読取手段のいずれか一方の読取手段を用いて原稿の表面と裏面の双方を読み取る第２読取モードのいずれかのモードにて前記原稿の両面を画像データとして読み取るよう制御する制御工程と、
を有することを特徴とする画像読取装置の制御方法。
【請求項９】
前記第１読取モードあるいは前記第２読取モードを指定する指定工程と、
前記両面読取が設定された場合、前記指定工程により前記第１読取モードが指定されているかどうかを判別する第１の判別工程とを有し、
前記制御工程は、前記第１の判別工程により前記第１読取モードが指定されていると判別された場合は前記第１読取モードで前記原稿の両面を読み取らせ、前記第１の判別工程により前記第１読取モードが指定されていない場合は前記第２読取モードで前記原稿の両面を読み取らせるよう制御することを特徴とする請求項８記載の画像読取装置の制御方法。
【請求項１０】
前記設定工程により前記両面読取が設定され、かつ前記指定工程により前記第１読取モードが指定された場合、前記第２の読取手段が読み取る原稿の裏面が特定画像であるか否かを判別する第２の判別工程とを有し、
前記制御工程は、前記第２の判別工程により前記第２の読取手段が読み取った前記原稿の裏面が特定画像であると判別した場合に、前記第１読取モードから前記第２読取モードへ切り替えることを特徴とする請求項９に記載の画像読取装置の制御方法。
【請求項１１】
前記設定工程により前記両面読取が設定され、かつ前記指定工程により前記第１読取モードが指定された場合、前記第２の読取手段が読み取る原稿の裏面が特定画像であるか否かを判別する第２の判別工程とを有し、
前記第２の判別工程が前記第２の読取手段が読み取った原稿の裏面が特定画像であると判別した場合に、前記第１読取モードから前記第２読取モードへ切り替えて読み取りを継続するか否かを確認する画面を表示部に表示する確認工程とを有し、
前記制御工程は、前記確認工程により前記表示部に表示された画面で継続要求が指示された場合に、前記第１読取モードから前記第２読取モードへ切り替えることを特徴とする請求項９に記載の画像読取装置の制御方法。
【請求項１２】
前記設定工程により前記両面読取が設定され、かつ前記指定工程により前記第１読取モードが指定された場合、前記第１の読取手段または前記第２の読取手段が読み取った原稿が特定画像であるかを判別する第３の判別工程と、
前記第３の判別工程が前記特定画像を読み取ったと判別した読取手段を、前記特定画像を読み取るための読取手段として特定する特定工程とを有し、
前記制御工程は、前記特定工程により前記第１の読取手段が特定されており前記第３の判別工程が前記第２の読取手段が読み取った原稿の裏面が前記特定画像であると判別した場合に、前記第１読取モードを前記第２読取モードに切り替えて前記原稿の裏面を前記第１の読取手段に読み取らせ、前記特定工程により前記第２の読取手段が特定されており前記第３の判別工程が前記第１の読取手段が読み取った原稿の表面が前記特定画像であると判別した場合に、前記第１読取モードを前記第２読取モードに切り替えて前記原稿の表面を前記第２の読取手段に読み取らせることを特徴とする請求項８に記載の画像読取装置の制御方法。
【請求項１３】
前記特定工程は、前記第１の読取手段と前記第２の読取手段が読み取る原稿のうち、最初に前記第１の読取手段が読み取った原稿が特定画像であった場合に、前記第１の読取手段を特定し、最初に前記第１の読取手段が読み取った原稿が特定画像でなく、最初に前記第２の読取手段が読み取った原稿が特定画像であった場合に、前記第２の読取手段を特定することを特徴とする請求項１２に記載の画像読取装置の制御方法。
【請求項１４】
前記特定画像は、写真画像であることを特徴とする請求項１０〜１３のいずれかに記載の画像読取装置の制御方法。
【発明の詳細な説明】
【技術分野】
【０００１】
本発明は、画像読取装置及び画像読取装置の制御方法に関するものである。
【背景技術】
【０００２】
自動原稿送り装置（ADF）を備えた画像読取装置は、原稿の両面を画像データとして読み取る場合、ADFによって原稿を引き込み、読み取り素子（例えば、ＣＣＤ）上を原稿を通過させて片面を画像データとして読み取る。そして、その後に、ADFによって原稿を反転させて残りの面を画像データとして読み取ることによって原稿の表面と裏面を画像データとして読み取る。
【０００３】
しかしながら近年、画像読取装置において、原稿の両面を画像データとして読み取る読取時間を短縮するために、画像読取部に複数の読み取り素子を配置し、原稿の表面と裏面をADFによって反転させる処理を行わずに原稿の両面を画像データとして読み取る機能を備えるものもある。
【０００４】
このような画像読取装置では、原稿を画像データとして読み取ると読み取り素子の特性が各々異なる場合、表面と裏面とで画質にズレが発生することがあり、その補正を行うような機能が下記特許文献１に記載されている。
【特許文献１】特開２０００−９２３２４号公報
【発明の開示】
【発明が解決しようとする課題】
【０００５】
特許文献１では、２つの読み取り素子により読み取られた画像データの画質を補正することで、画質の違いをある程度無くすことができるが、補正にも限界があり完全に画質を一致させることはできない。また、画質を一致させるための補正を行うために、予めテストパターンを読み取らせるような準備が必要となるので、煩雑な操作をしなければならない。
【０００６】
単に画質だけを重視するのであれば、従来のように原稿の表面と裏面を特定の読み取り素子を用いて読み取らせれば良いが、複数の読み取り素子を設けることによる読取時間の短縮が図れないという問題があった。
【０００７】
本発明は、上記の課題を解決するためになされたもので、本発明の目的は、原稿の両面を画像データとして読み取る場合に、原稿の両面を特定の読み取り素子を用いて読み取ることにより均一の画質で画像データを生成するか、原稿の両面を各々異なる読み取り素子を用いて読み取ることにより読取時間を短縮して画像データを生成するかを適切に切り替えられる画像読取装置及びその制御方法を提供することである。
【課題を解決するための手段】
【０００８】
上記目的を達成する本発明の画像読取装置は以下に示す構成を備える。
【０００９】
搬送される原稿の表面を画像データとして読み取る第１の読取手段と、搬送される原稿の裏面を画像データとして読み取る第２の読取手段と、搬送される原稿の両面を画像データとして読み取る両面読取か、搬送される原稿の表面又は裏面のいずれか一面を画像データとして読み取る片面読取かを設定する設定手段と、前記設定手段により、前記両面読取が設定された場合、前記原稿の表面を第１の読取手段で読み取るとともに前記原稿の裏面を第２の読取手段で読み取る第１読取モードと、前記第１の読取手段及び前記第２の読取手段のいずれか一方の読取手段を用いて原稿の表面と裏面の双方を読み取る第２読取モードのいずれかのモードにて前記原稿の両面を画像データとして読み取るよう制御する制御手段とを有することを特徴とする。
【００１０】
上記目的を達成する本発明の画像読取装置の制御方法は以下に示す構成を備える。
【００１１】
搬送される原稿の表面を画像データとして読み取る第１の読取手段と、搬送される原稿の裏面を画像データとして読み取る第２の読取手段とを有する画像読取装置の制御方法であって、搬送される原稿の両面を画像データとして読み取る両面読取か、搬送される原稿の表面又は裏面のいずれか一面を画像データとして読み取る片面読取かを設定する設定工程と、前記設定工程により、前記両面読取が設定された場合、前記原稿の表面を第１の読取手段で読み取るとともに前記原稿の裏面を第２の読取手段で読み取る第１読取モードと、前記第１の読取手段及び前記第２の読取手段のいずれか一方の読取手段を用いて原稿の表面と裏面の双方を読み取る第２読取モードのいずれかのモードにて前記原稿の両面を画像データとして読み取るよう制御する制御工程を有することを特徴とする。
【発明の効果】
【００１２】
本発明によれば、原稿の両面画像を読み込む場合に、出力される画質を統一した画像読み取り処理と、スピードを優先した画像読み取り処理とを切り替えることができる。
【発明を実施するための最良の形態】
【００１３】
次に本発明を実施するための最良の形態について図面を参照して説明する。
【００１４】
＜システム構成の説明＞
〔第１実施形態〕
図１は、本発明の第１実施形態を示す画像読取装置を適用可能な画像処理装置の構成を説明するブロック図である。本例は、画像処理装置が、例えば多機能周辺機器（ＭＦＰ：Ｍｕｌｔｉ−Ｆｕｎｃｔｉｏｎ  Ｐｅｒｉｐｈｅｒａｌ）で構成される例である。
【００１５】
図１において、１０１は多機能周辺機器を制御するためのコントローラであり、図３にハードウエア構成を示す。
【００１６】
１０２はスキャナエンジンであり、コントローラ１０１によって制御されている。１０３はレーザビームプリンタエンジン（プリンタエンジン）であり、コントローラ１０１によって制御されている。プリンタエンジン１０３は、フィニッシャ１０４に接続されており、同プリンタエンジン１０３から出力された複数の記録媒体（例えば、紙）をまとめてステイプル処理や製本処理が可能となっている。フィニッシャ１０４もコントローラ１０１によって制御されている。
【００１７】
１０５はネットワーク（イーサーネット）インタフェースであり、コントローラ１０１に対して同インタフェースを通した双方向通信を提供している。１０６はユーザインタフェースであり、ＬＣＤディスプレイとキーボードから構成されており、コントローラ１０１からの情報表示を行うとともにユーザからの指示をコントローラ１０１に伝える。
【００１８】
また、本実施形態の画像処理装置は、Ｎｅｔｗｏｒｋ（Ｅｔｈｅｒｎｅｔ（登録商標），ＴＣＰ／ＩＰ）のどのインタフェースからでも、全ての機能を使用可能である。
【００１９】
図２は、図１に示す本実施形態のコントローラ１０１のハードウエア構成を示す図である。
【００２０】
図２において、コントローラ１０１の内部では、ＣＰＵ２０１がバス２０９を介して、メモリ２０２，操作部１０６を構成する液晶ディスプレイ２０３及びキーボード２０４，ＲＯＭ２１０，ＤＩＳＫ３１１が接続されている。
【００２１】
各種プログラム及びデータは、ハードディスクやフレキシブルディスク等のＤＩＳＫ２１１（記憶媒体）に記憶されており、必要に応じて順次メモリ２０２に読み出されてＣＰＵ２０１で実行される。
【００２２】
このＤＩＳＫ２１１は、ＭＦＰに着脱可能でもＭＦＰに内蔵されたものでも良い。更に、プログラムは、ネットワークを介して他のＭＦＰからダウンロードされてＤＩＳＫ２１１に記憶される構成でも良い。
【００２３】
液晶ディスプレイ２０３、キーボード２０４は、図１に示す操作部１０６を構成するものであり、ＣＰＵ２０１が液晶ディスプレイ２０３にデータを書き込むことにより表示を行う。そして、ＣＰＵ２０１がキーボード２０４からデータを読み出すことにより、ユーザからの指示を入力する。
【００２４】
また、バス２０９には、ネットワークインターフェース２０５が接続されており、図１に示すネットワークインターフェース１０５に対応する。ＣＰＵ２０１がインタフェースからデータを読み取りまたは書き込むことによりインタフェースを使用した通信を行う。
【００２５】
更に、バス２０９には、プリンタ２０６，フィニッシャ２０７，スキャナ２０８，が接続されている。これらは、図１に示すプリンタエンジン１０３，フィニッシャ１０４，スキャナ１０２に対応するものである。
【００２６】
ＣＰＵ２０１は、プリンタ２０６，フィニッシャ２０７，スキャナ２０８のエンジンに対してデータの読み書きを行うことによりプリント・スキャンなどのエンジン動作および各種ステータス取得を行う。なお、プリンタ２０６，フィニッシャ２０７，スキャナ２０８は、ＭＦＰの内部ではなく、ネットワーク上にそれぞれ単体の周辺機器として存在し、それをＭＦＰのコントローラ１０１が制御しても良い。
【００２７】
図３は、本実施形態を示す画像処理装置の外観の一例を示す図である。本例では、画像処理装置が、例えば多機能周辺機器（ＭＦＰ：Ｍｕｌｔｉ−Ｆｕｎｃｔｉｏｎ  Ｐｅｒｉｐｈｅｒａｌ）で構成される例である。
【００２８】
図３において、画像入力デバイスであるスキャナ部３０１は、原稿となる紙上の画像を照明し、ＣＣＤセンサを走査することで、ラスターイメージデータとして電気信号に変換する。
【００２９】
画像出力デバイスであるプリンタ部３０２は、ラスターイメージデータを用紙上の画像に変換する部分である。プリント動作の起動や停止は、コントローラＣＰＵ２０１からの指示によって開始する。
【００３０】
図４は、図３に示した操作部３０３の一例を示す平面図である。
【００３１】
図４において、液晶表示部４０１は、液晶上にタッチパネルシートが貼られており、システムの操作画面およびソフトキーを表示する。また、表示してあるキーが押されると、その位置情報をコントローラＣＰＵ２０１に伝える。
【００３２】
スタートキー４０２は、原稿画像の読み取り動作を開始する時などに用いる。スタートキー４０２中央部には、緑と赤の２色ＬＥＤ４０３があり、その色によってスタートキー４０２が使える状態にあるかどうかを示す。
【００３３】
ストップキー４０４は稼働中の動作を止める働きをする。テンキー４０５は、数字と文字のボタン郡で構成されており、コピー部数の設定や、液晶表示部４０１の画面切り替えを指示する。
【００３４】
図５は、図３に示したスキャナ部３０１の給紙経路と反射露光経路とを説明する詳細断面図である。
【００３５】
図５において、原稿５０３上の情報は原稿読み取り装置５１９の露光部５１３に対して原稿５０３を相対的に移動させながら読み取られる。
【００３６】
原稿５０３は原稿台５０２にセットされる。原稿給紙ローラ５０４は分離パッド５０５と対になっていて、原稿５０３を一枚ずつ搬送する。
【００３７】
搬送された原稿５０３はローラ５０６で装置内に送られ、ローラ５０８とローラ５０９とローラ５１０とローラ５１１によって搬送される。搬送された原稿５０３は、流し読み原稿ガラス５１２と原稿ガイド板５１７との間を通り、ジャンプ台５１８を経由して、ローラ５１１により搬送される。
【００３８】
なお、ローラ５０９は正回転駆動と、逆回転駆動とが可能に構成されている。つまり、後述する反転読みモード時に、搬送される原稿を一定長搬送した時点で、逆回転駆動することで、再度、機内に取り込む、いわゆるスイッチバック駆動が可能なローラである。
【００３９】
そして、原稿５０３は流し読み原稿ガラス５１２上を通過する際に、流し読み原稿ガラス５１２に接している面が露光部５１３によって露光される。
【００４０】
その結果得られる原稿５０３からの反射光がミラーユニット５１４に伝達される。伝達された反射光はレンズ５１５を通過して集光されＣＣＤセンサ５１６にて電気信号に変換される。
【００４１】
そして、ローラ５１１によって搬送された原稿５０３はコンタクトイメージセンサガラス５２０を通過し、ローラ５０７によって機外に排出される。このときコンタクトイメージセンサ５２１によって電気信号に変換される。
【００４２】
このように本実施形態では、ＣＣＤセンサ５１６もしくはコンタクトイメージセンサ５２１という２つのイメージセンサを備えて、原稿搬送中に、原稿の両面の画像を同時に読取り可能に構成されている。しかしながら、読み取られる画像については、上述したように、読み取り素子の特性が異なる場合、表面と裏面とで画質にズレが発生する。そこで、本実施形態では、後述する再循環機能により、搬送される原稿の両面の画像をいずれか一方のセンサで読み込むように原稿の搬送と原稿読み取りとをＣＰＵ２０１が制御する。
【００４３】
また、ローラ５０７を逆回転させてフラッパ５２２を切り替え、ローラ５２３を使用して原稿５０３を再び機内に循環させることが可能である。
【００４４】
この再循環機能は、ＣＣＤセンサ５１６もしくはコンタクトイメージセンサ５２１のどちらか一方を使用して原稿５０３の両面画像を電気信号に変換する場合に使用する。
【００４５】
図６は、図３に示したプリンタ部３０２のエンジン構成を説明する概略断面図である。本例は、１ドラム方式で、フルカラー画像形成を行うプリンタ部の例を示す。なお、４ドラム方式のフルカラー画像形成を行うプリンタ部であってもよい。
【００４６】
図６において、感光ドラム６０１は一次帯電器６１１により特定の極性電位に一様に帯電処理され、図示しない露光手段によって６１２の矢印の位置が露光される。
【００４７】
このようにして第一の色成分に対応した静電潜像が感光ドラム６０１に形成される。その後、四つある現像機６０２Ｙ，６０２Ｍ，６０２Ｃ，６０２Ｋ中の一つの現像機を使用して現像される。
【００４８】
中間転写ベルト６０３は矢印の方向に駆動され、感光ドラム６０１上に形成された第一の色成分画像が、感光ドラム６０１と中間転写ベルト６０３の接合部分を通る。この一連の過程で一次転写ローラ６１０によって形成された電界によって中間転写ベルト６０３に転写される。
【００４９】
中間転写ベルト６０３に転写を終えた感光ドラム６０１の表面はクリーニング装置６０４によって清掃される。この処理を色順次で繰り返し、４色の画像を中間転写ベルト６０３に重ね合わせて、カラー画像を形成する。
【００５０】
なお、単色の画像を形成する場合は一度だけ転写処理を行う。
【００５１】
中間転写ベルト６０３に転写された画像は、次に、二次転写ローラ６０９部分でカセット６０５より給紙された用紙に転写される。このようにして画像が転写された用紙は定着機６０６で熱加圧されて用紙上に定着される。この定着後、排紙口６１３まで用紙が搬送され機外に排出されることで、カラー印刷結果を得る。
【００５２】
なお、両面印刷を行う場合は、反転パス６０８をとおって用紙を循環させ、印刷処理を繰り返す。フィニッシャ３０４により後処理を行う場合は、排紙口６０７に用紙を導き、バッファパス６１４を経由してフィニッシャ３０４に用紙を搬送する。
【００５３】
図７Ａ〜図７Ｃは、図４に示した操作部３０３の操作画面の一例を示す図である。以下、図７Ａ〜図７Ｃを参照して、両面読み取り動作の設定に関して説明する。
【００５４】
図７Ａにおいて、７１は操作部の初期画面であり、応用モードキー７０１、濃度調整キー７０２用紙選択キー７０３、倍率設定キー７０４、仕上げキー７０５、両面設定キー７０６がある。そして、これらのキーを押下することにより、ジョブの様々な設定を行うことが可能となる。
【００５５】
ここで、例えば両面設定キー７０６を押下すると、ＣＰＵ２０１の表示制御により図７Ａに示す画面表示から図７Ｂに示す両面の種類を選択する選択画面７２に画面表示が切り替わる。
【００５６】
図７Ｂにおいて、両面種類設定キー７０７から実行したい両面設定を選択し、詳細設定キー７０８を押下する。これを受けて、ＣＰＵ２０１は、図７Ｂに示す画面表示から図７Ｃに示す原稿の種類を選択する詳細画面７３に画面表示が切り替える制御を行う。
【００５７】
図７Ｃにおいて、この詳細画面７３により詳細な原稿の設定を行うことができる。
【００５８】
本実施形態では、左右開きキー７１１、上下開きキー７１２のいずれかを選択することにより、原稿の開き情報を設定する。
【００５９】
また、同時読みキー７１３、反転読みキー７１４のいずれかを選択することにより、両面原稿の読み取りモードを設定する。このようにして設定が終了したら閉じるキー７１５を押下する。
【００６０】
ユーザが閉じるキー７１５を押下すると、ＣＰＵ２０１は、画面表示状態を図７Ｃに示す画面表示から、図７Ｂに示す画面表示に切り替える表示制御を行う。そして、設定が終了であればＯＫキー７１０を押下して両面設定を終了する。
【００６１】
一方、両面設定を取り消したい場合は、設定取消キー７０９を押下する。さらに、図７Ｂに示す画面において、ＯＫキー７１０を押下すると、ＣＰＵ２０１は、画面表示状態を図７Ｂに示す画面表示から、図７Ａに示す初期画面７１に切り替える表示制御を行う。
【００６２】
そして、図７Ａに示す初期画面７１において、スタートキー４０２を押下すると、ＣＰＵ２０１は、ＲＯＭ２１０、ＤＩＳＫ２１１に記憶された制御プログラムをメモリ２０２にロードして実行することで両面読み取りジョブを開始する。
【００６３】
図８は、本実施形態を示す画像処理装置における第１の制御手順の一例を示すフローチャートである。本例は、ジョブスタート後の処理手順に対応する。なお、Ｓ８０１〜Ｓ８０４は各ステップを示す。また、各ステップは、ＣＰＵ２０１は、ＲＯＭ２１０、ＤＩＳＫ２１１に記憶された制御プログラムをメモリ２０２にロードして実行することで実現される。
【００６４】
まず、ユーザの操作により図４に示したスタートキー４０２を押下すると、Ｓ８０１で、ＣＰＵ２０１は、ユーザが図７Ｂに示した両面種類設定キー７０７を操作することで、両面読み取りを行うモードが設定されているかを確認する。ここで、ＣＰＵ２０１が両面読み取りを行うモードが設定されていないと判断した場合は、本処理を終了する。
【００６５】
一方、Ｓ８０１で、同時読み取りで両面読み取りを行うモードが設定されていると判断した場合は、Ｓ８０２で、ＣＰＵ２０１が同時読みを設定しているかどうかを判断する。具体的には、図７Ｃに示した詳細設定画面において、ユーザが同時読みキー７１３を操作していると、ＣＰＵ２０１が同時読みを設定している判断する。ここで、同時読みの設定が行われていると判断した場合はステップ８０３で、ＣＰＵ２０１は、スキャナ２０８に同時読み取りを指示する。一方、Ｓ８０２で、同時読みの設定が行われていないと判断した場合は、Ｓ８０４で、ＣＰＵ２０１は、スキャナ２０８に反転読みの指示を行い、原稿の読み取り動作を開始する。
【００６６】
以下、本実施形態を示す画像処理装置のスキャナ２０８の原稿読取モードについて説明する。
【００６７】
図９Ａ〜図９Ｄは、図２に示した画像読取装置２０８の原稿読取モードが同時読みモードによる原稿搬送状態を説明する図である。本例は、同時読みが指示された場合の原稿の動きと読み取り位置を示す例である。
【００６８】
なお、図５と同一のものには同一の符号を付してある。また、本実施形態では、ＣＣＤセンサ５１６が第１の読取手段として機能する。また、コンタクトイメージセンサ５２１が第２の読取手段として機能する。
【００６９】
図８に示すＳ８０２で、同時読みが指定されている判断した場合は、図９Ａに示すように、原稿９０１が原稿台よりローラ５０６の駆動で引き込まれると、図９Ｂに示すように、ＣＣＤセンサ５１６で原稿の９０１表面の画像を取り込む。そして、さらに、ローラ５１１の駆動により原稿９０１が搬送されると、図９Ｃに示すように、コンタクトイメージセンサ５２１で原稿９０１の裏面を読み込む。そして、搬送される原稿９０１の両面画像を取り込んだら、図９Ｄに示すように、原稿９０１を排紙トレイ部９０２に排出する。
【００７０】
このようにして、原稿９０１を反転することなく画像の取り込みが可能となるため高速に画像を取り込むことが可能になる。この場合には、上述しているように、ＣＣＤセンサ５１６が第１の読取手段として機能する。また、コンタクトイメージセンサ５２１が第２の読取手段の構成の差違から、原稿９０１が写真原稿である場合には、読み取られる原稿画像の画質が異なる特性を示す。つまり、同時読みモードとは、原稿９０１の両面の画像を高速に読み込むことに適した読取モードである。
【００７１】
図１０Ａ〜図１０Ｆは、図２に示した画像読取装置２０８の原稿読取モードが反転読みモードによる原稿搬送状態を説明する図である。本例は、反転読みが指示された場合の原稿の動きと読み取り位置を示す例である。
【００７２】
なお、図５と同一のものには同一の符号を付してある。また、本実施形態では、ＣＣＤセンサ５１６が第１の読取手段として機能する。また、コンタクトイメージセンサ５２１が第２の読取手段として機能する。
【００７３】
図８に示すＳ８０２で、反転読みが指定されている判断した場合は、図１０Ａに示すように、原稿１００１がローラ５０６の駆動で引き込まれると、図１０Ｂに示すように、ＣＣＤセンサ５１６で原稿１００１の表面を取り込む。そして、さらに、ローラ５１１の駆動により、原稿１００１が搬送されて、図１０Ｃに示すように、原稿１００１がコンタクトイメージセンサ５２１を通過する。この際、ＣＰＵ２０１の制御で、コンタクトイメージセンサ５２１による画像の取り込みを行わない。そして、図１０Ｄに示すように、ＣＰＵ２０１が原稿１００１をスイッチバックして再び、ＣＣＤセンサ５１６が原稿の裏面側を読取るように、に原稿１００１を導く。
【００７４】
そして、図１０Ｅに示すように、原稿１００１の裏面の画像を取り込み、両面画像を取り込んだら、図１０Ｆに示すように、原稿１００１を排紙トレイ１００２に排出する。
【００７５】
このように本実施形態では、操作部３０３より同時読み取りモードあるいは反転読み取りモードを指定する指定機能を備える。そして、原稿の両面読み取りが設定された場合、Ｓ８０２で、操作部３０３により同時読み取りモードが指定されているかどうかを判別する。そして、ＣＰＵ２０１は、同時読み取りモードが指定されている場合、同時読み取りモードで原稿を読み込ませ、同時読み取りモードが指定されていない場合、反転読み取りモードで前記原稿を読み込ませるように読み取りモードを切り替え制御する。
【００７６】
これにより、ユーザの読み込モードの指定に応じて、両面原稿を読み込む際に、ＣＣＤセンサ５１６に固定して搬送される原稿の両面の画像を取り込むことができる。従って、カラー写真等の原稿を両面読み込む場合に、画質の安定した画像を取り込むことができる。
【００７７】
〔第２実施形態〕
図１１は、本実施形態を示す画像処理装置のスキャナの画像処理部の構成を説明する要部ブロック図である。なお、図５に示したＣＣＤセンサ５１６と、コンタクトイメージセンサ５２１とを図示しいてない。
【００７８】
図２に示すようにスキャナ２０８から入力されたＲＧＢ各８ｂｉｔの輝度信号は、マスキング１１０１により標準的なＲＧＢ色信号に変換される。
【００７９】
そして、後段のフィルタ１１０２では、例えば９×９のマトリクスを使用し、画像をぼかしたり、メリハリをつける画像処理が行われる。なお、画像処理には、メモリ２０２のワークを介して専用画像処理コントローラにより画像処理される。
【００８０】
そして、後段のヒストグラム１１０３は、入力画像中の画像信号データのサンプリングをする処理を行う。そして、入力画像の下地レベル判定に使用される。このヒストグラム１１０３では主走査方向、副走査方向にそれぞれ指定した開始点から終了点で囲まれた矩形領域内のＲＧＢデータを、主走査方向、副走査方向に一定のピッチでサンプリングし、ヒストグラムを作成する。
【００８１】
そして、作成されたヒストグラムは、下地とばしや、裏写り防止が指定されたとき、メモリ２０２から読み出される。そして、ヒストグラムから原稿の下地を推測し、下地とばしレベルとして、画像とともにメモリ２０２やＤＩＳＫ２１１に保存、管理され、印刷や送信時の画像処理に使用される。
【００８２】
そして、後段のガンマ１１０４では画像全体の濃度を濃くあるいは薄くするように処理が行われる。例えば入力画像の色空間を任意の色空間に変換したり、入力系の色味に関する補正処理を行う部分である。
【００８３】
原稿がカラーか白黒かを判断するために変倍前の画像信号を色空間変換１１０５によって公知のＬａｂに変換する。
【００８４】
このうちａ，ｂは色信号成分を表しており、比較器１１０６内の所定のレベル以上であれば有彩色、そうでなければ無彩色として１ｂｉｔの判定信号を比較器１１０６から出力する。後段のカウンタ１１０７は比較器からの出力を計測する。
【００８５】
文字／写真判定器１１０８は、読み取られた画像データから文字エッジを抽出し、画像データを文字データと写真データとに分離する機能処理を行う。例えば出力として、文字写真判定信号が得られる。この信号も画像とともにメモリやＨＤに格納され、印刷時に使用される。
【００８６】
１１０９は特定原稿判定器で、入力画像信号と、判定器内部で持つパターンがどの程度一致するかを比較し、図示したように一致、不一致という判定結果を読み出すことが可能である。そして、特定原稿判定器１１０９の判定結果に応じて、画像データを加工する。
【００８７】
図１２Ａ，図１２Ｂは、図３に示した操作部３０３に表示される原稿タイプの設定画面の一例を示す図である。
【００８８】
図１２Ａに示す画面において、ユーザの操作で原稿タイプ設定キー１２０１を押下すると、ＣＰＵ２０１の表示制御で原稿タイプリスト１２０２がポップアップ表示される。なお、現在、原稿タイプ設定キー１２０１では、「文字／印刷写真」が設定されている表示状態を示す。
【００８９】
このように、原稿タイプリスト１２０２中に原稿のタイプが列挙表示されるので、ユーザは使用する原稿タイプを簡単な操作で設定することができる。
【００９０】
この原稿タイプリスト１２０２の中に文字、地図、印刷写真などがあり原稿に対応したタイプを設定することができる。
【００９１】
また、文字／印画紙写真、文字／印刷写真のように読み込んだ原稿を文字／写真判定器１１０８を使用して、文字原稿であるか写真原稿であるかを判別するタイプの設定も可能となっている。
【００９２】
このようにして、原稿タイプを確定すると、図１２Ａに示す画面から、ＣＰＵ２０１の表示制御で、図１２Ｂに示す画面に切り替わる。
【００９３】
図１２Ｂに示す画面は、原稿タイプに文字／印刷写真を設定した場合の両面の詳細設定画面に対応する。
【００９４】
ここで、自動キー１２０３以外は、図７Ｃに示した画面の表示内容と同じである。
【００９５】
本実施形態において、自動キー１２０２は、スキャナ２０８が読み込んだ原稿の種類によって自動的に両面動作である、上述した同時読みと、反転読みとを切り替える指示を行うためのものである。
【００９６】
図１３は、本実施形態を示す画像処理装置における第２の制御手順の一例を示すフローチャートである。本例は、図１２Ｂに示した自動キー１２０２を設定したときの両面読み取り処理手順に対応する。なお、Ｓ１３０１〜Ｓ１３０７は各ステップを示す。また、各ステップは、ＣＰＵ２０１は、ＲＯＭ２１０、ＤＩＳＫ２１１に記憶された制御プログラムをメモリ２０２にロードして実行することで実現される。
【００９７】
まず、Ｓ１３０１で、ＣＰＵ２０１は、スキャナ２０２０８のローラ５０６を駆動させて、原稿台５０２から引き込んだ原稿の表面の画像を読み取る。
【００９８】
次に、Ｓ１３０２で、コンタクトイメージセンサ５２１で、給送される原稿の裏面の画像をメモリ２０２に取り込む。
【００９９】
次に、Ｓ１３０３で、ＣＰＵ２０１は、コンタクトイメージセンサ５２１で読み取った画像が文字画像か写真画像かを文字／写真判定器１１０８を使用して判断する。ここで、ＣＰＵ２０１が原稿が写真であると判断された場合は、Ｓ１３０４で、メモリ２０２に取り込んだ画像を破棄する。そして、ローラ５０９の駆動を逆転駆動させて原稿をスイッチバックさせて再び、ＣＣＤセンサ５１６に原稿を導きように他のローラの駆動を制御する。
【０１００】
そして、Ｓ１３０５で、ＣＣＤセンサ５１６を使用して、原稿の裏面画像を読み取った後に、Ｓ１３０６で、原稿を排紙トレイ５３０に排出する。
【０１０１】
一方、Ｓ１３０３で、ＣＰＵ２０１が原稿の裏面の画像の種別が写真ではないと判断した場合は、Ｓ１３０６で排紙トレイ５３０に排出する。
【０１０２】
そして、Ｓ１３０７で、ＣＰＵ２０１が原稿台５０２に載置された全ての原稿を読み取ったかを確認し、まだ原稿があると判断した場合には、Ｓ１３０１からの処理を継続して行い、原稿がなくなったと判断した場合は、本処理を終了する。
【０１０３】
本実施形態では、ＣＰＵ２０１がＣＣＤセンサ５１６とコンタクトイメージセンサ（ＣＩＳ）５２１により原稿の両面読み取るで同時読み取りモードが指定された場合、ＣＩＳ５２１が読み取る原稿の裏面が特定画像であるかを判別する。
【０１０４】
そして、ＣＰＵ２０１は、ＣＩＳ５２１が読み取る原稿の裏面が特定画像であると判別した場合に、同時読み取りモードから反転読み取りモードへ切り替える制御を実行する。
【０１０５】
このように原稿読取処理を制御することで、原稿束の中の画質を気にする写真原稿は、すべて、ＣＣＤセンサ５１６で読み取るため画質が統一され、画質を気にしない文字原稿は高速な両面読み取りを行うことが可能となる。
【０１０６】
つまり、両面原稿読取時に、両面同時読みと両面反転読みの長所を生かした両面スキャン動作とを自動的に切り替えながら原稿の種別に応じた読取処理を実行できる。
【０１０７】
〔第３実施形態〕
第２実施形態では、原稿の両面を画像データとして読み取る時に、原稿の搬送方向下流に位置する画像読取素子（第２実施形態におけるＣＣＤセンサ５１６）が、写真読み取り用の画像読取素子として固定されるため、例えば裏面に写真画像が多くあるような原稿束では原稿を反転させる回数が多くなる。これに対して、第１と第２の読取手段で最初に読み取った原稿の表面と裏面の画像が写真かどうかを判断して、最初に写真を読み取った読取手段を写真用の読取手段に設定することで、以後の読取り動作を高速化することも可能である。以下、その実施形態について説明する。
【０１０８】
なお、本実施形態における読取り制御は、図１３に自動キー１２０２を設定したときに実行されるものとする。
【０１０９】
図１４は、本実施形態を示す画像処理装置における第３の制御手順の一例を示すフローチャートである。本例は、図１２Ｂに示した自動キー１２０２を設定したときの両面読み取り処理手順に対応する。
【０１１０】
なお、Ｓ１４０１〜Ｓ１４１６は各ステップを示す。また、各ステップは、ＣＰＵ２０１は、ＲＯＭ２１０、ＤＩＳＫ２１１に記憶された制御プログラムをメモリ２０２にロードして実行することで実現される。なお、本実施形態では、第１の読取手段をＣＣＤセンサ５１６とし、第２の読取手段をコンタクトイメージセンサ５２１として説明する。
【０１１１】
また、原稿の最初の読取時には、メモリ２０２には、写真用に第１または第２の読取手段に設定する情報は設定されない。そして、後述するＳ１４０５またはＳ１４０４のいずれかで設定された場合に、ＣＰＵ２０１がメモリ２０２に設定するものとする。
【０１１２】
Ｓ１４０１で、ＣＰＵ２０１は、写真用に設定された読み取り手段がメモリ２０２に設定されているかどうかを判断する。最初の読取時には、常に、メモリ２０２には、写真用に設定された読み取り手段を特定する情報が設定されていないため、判断はＮＯとなり、Ｓ１４０２に進む。
【０１１３】
そして、Ｓ１４０２で、搬送される原稿の表面の画像を第１の読み取り手段で読み取り、ＣＰＵ２０１が上述した手法で画像データを解析することで、その読み取った画像が写真画像であるかどうかを判断する。ここで、読み取った画像が写真画像であるとＣＰＵ２０１が判断した場合は、Ｓ１４０５へ進み、ＣＰＵ２０１は第１の読み取り手段を写真用とする設定をメモリ２０２上に行う。そして、Ｓ１４０７以降へ進む。
【０１１４】
一方、Ｓ１４０２で、読み取った画像が写真画像でないとＣＰＵ２０１が判断した場合は、Ｓ１４０３へ進み、搬送される原稿の裏面の画像を第２の読み取り手段で読み込む。そして、ＣＰＵ２０１が上述した手法で画像データを解析することで、その読み込んだ画像が写真画像であるかどうかを判断する。ここで、写真画像でないと判断した場合は、Ｓ１４１５へ進む。
【０１１５】
一方、Ｓ１４０３で、読み込んだ画像が写真画像であると判断した場合は、Ｓ１４０４で、ＣＰＵ２０１は第２の読み取り手段を写真用とする設定をメモリ２０２上に行う。そして、Ｓ１４１５以降へ進む。
【０１１６】
そして、Ｓ１４１５で、両面の原稿画像の読み取りを終了した原稿を排出トレイに排出し、Ｓ１４１６で、ＣＰＵ２０１は、全ての原稿を読み取ったかを判断する。ここで、読み取りを終了していると判断した場合は、本処理を終了する。
【０１１７】
なお、読み取りの終了は、原稿台５０２に原稿センサを設けて、原稿を検知していないことで判断するが、他の方法で原稿終了を判断できることはいうまでもない。
【０１１８】
Ｓ１４１６で、まだ、読み取るべき原稿が残っていると判断した場合は、Ｓ１４０１に戻り処理を継続する。
【０１１９】
一方、Ｓ１４０１で、ＣＰＵ２０１がメモリ２０２の設定情報から写真用に設定された読み取り手段があると判断した場合は、Ｓ１４０６で、第１の読み取り手段から搬送される原稿の表面の画像を読み込む。そして、Ｓ１４０７で、第２の読み取り手段から搬送される原稿の裏面の画像を読み取る。
【０１２０】
そして、Ｓ１４０８で、ＣＰＵ２０１は、メモリ２０２の設定情報から写真用に設定されているのは第１の読み取り手段かを判断する。ここで、第１の読み取り手段であると判断した場合は、Ｓ１４０９で、第２の読み取り手段で取り込んだ原稿の裏面の画像が写真画像かを上記の手法に基づいて判断する。ここで、写真画像ではないと判断した場合は、Ｓ１４１５へ進む。
【０１２１】
一方、Ｓ１４０９で、第２の読み取り手段で読み取った原稿の裏面の画像が写真画像であると判断した場合は、Ｓ１４１０で、第二の読み取り手段で読み取った画像データをメモリ２０２上から破棄する。そして、当該搬送中の原稿をスイッチバック搬送制御により、原稿を引き戻す。そして、Ｓ１４１１で、反転された原稿であって、スイッチバック搬送前は裏面側の画像が再び第一の読み取り手段を通過するときに、Ｓ１４１２で第１の読み取り手段で画像を取り込み、画像データをメモリ２０２に記憶させる。そして、Ｓ１４１５へ進む。
【０１２２】
一方、Ｓ１４０８で、写真用に設定されたのは第１の読み取り手段ではないと判断した場合、Ｓ１４１２で、ＣＰＵ２０１は第１の読み取り手段で読み取った原稿の表面の画像が写真画像かを上記手法で判断する。ここで、写真画像ではないと判断した場合、Ｓ１４１５以降の処理を行う。
【０１２３】
一方、Ｓ１４１２で、ＣＰＵ２０１が第１の読み取り手段で読み取って搬送される原稿の表面の画像を写真画像と判断した場合は、Ｓ１４１４に進む。そして、Ｓ１４１４で、既にＣＣＤセンサ５１６で読み取ってメモリ２０２上に記憶されている画像データを破棄して原稿をスイッチバック搬送して、原稿を引き戻す。そして、反転された原稿が順次搬送されて、再び第二の読み取り手段を通過するときに、Ｓ１４１４で、第二の読み取り手段により搬送される原稿の裏面の画像を読み取り、ステップＳ１４１５以降の処理を継続する。
【０１２４】
本実施形態では、反転読み取りモードは、原稿を反転搬送して第１の読み取り手段（ＣＣＤセンサ５１６）で読み取らせる第１の反転読み取りモードを有する。さらに、原稿を反転搬送して第２の読み取り手段（ＣＩＳ５２１）で読み取らせる第２の反転読み取りモードとを有している。ここで、第１の反転読み取りモードとは、図１４に示すように、Ｓ１４０７〜Ｓ１４１１に基づく処理を実行するモードである。また、第２の反転読み取りモードとは、図１４に示すように、Ｓ１４０７、Ｓ１４０８、Ｓ１４１２〜Ｓ１４１４に基づく処理を実行するモードである。
【０１２５】
そして、ＣＰＵ２０１は、第１と第２の読み取り部により原稿の両面読み取りで前記同時読み取りモードが指定された場合、Ｓ１４０９、Ｓ１４１２で以下の判別処理を行う。
【０１２６】
つまり、ＣＣＤセンサ５１６、ＣＩＳ５２１が読み取る原稿の裏面が特定画像であるかを判別する第３の判別処理を行う。
【０１２７】
一方、ＣＰＵ２０１は、Ｓ１４０４、Ｓ１４０５で、第１または第２の読み取り手段が特定画像を読み取る読み取り候補に設定する。
【０１２８】
そして、ＣＰＵ２０１は、第１の読み取り手段が特定画像を読み取る読み取り候補に設定されている場合、かつ、第２の読み取り手段が読み込む原稿の裏面が特定画像であると判別した場合に、第１の反転読み取りモードに切り替える。具体的には、Ｓ１４１０，Ｓ１４１１で、第１の反転読み取りモードに切り替えて、原稿画像を反転読み取りする。
【０１２９】
また、ＣＰＵ２０１は、第２の読み取り手段が特定画像を読み取る読み取り候補に設定されている場合、かつ、第１の読み取り手段が読み取る原稿の裏面が特定画像であると判別した場合に、第２の反転読み取りモードに切り替える。具体的には、Ｓ１４１３，Ｓ１４１４で、第１の反転読み取りモードに切り替えて、原稿画像を反転読み取りする。
【０１３０】
このように本実施形態では、両面原稿の読取時に、最初に写真画像を読み取った読み取り手段が、写真読み取り用の読み取り手段として固定される。
【０１３１】
このため、例えば裏面のみに写真画像が多くあるような原稿束では、第２の実施形態の読み取り制御では必ず反転両面を行うことになるが、本実施形態の構成であれば同時読みを行うことが可能となる。したがって、第２の実施形態に比べて高速な両面スキャン処理を行えるようになる。
【０１３２】
〔第４実施形態〕
上記実施形態では、両面原稿の同時読み取りに、第１と第２の読み取り手段の違いによる画質のずれを優先してなくすように制御する場合について説明した。しかしながら、ユーザが常に正しく読み取りモードを設定するとは限らない。
【０１３３】
そこで、本来ならば画質を優先したいにも拘わらず、誤って同時読み取りを設定していた場合に、画質を優先させる画像を読み取ることで、読み取りモードを切り替えてもよい。以下、その実施形態について説明する。
【０１３４】
図１５は、本実施形態を示す画像処理装置における第４の制御手順の一例を示すフローチャートである。本例は、図１２の（Ｂ）に示した自動キー１２０２を設定したときの両面読み取り処理手順に対応する。
【０１３５】
なお、Ｓ１５０１〜Ｓ１５０６は各ステップを示す。また、各ステップは、ＣＰＵ２０１は、ＲＯＭ２１０、ＤＩＳＫ２１１に記憶された制御プログラムをメモリ２０２にロードして実行することで実現される。なお、本実施形態では、第１の読取手段をＣＣＤセンサ５１６とし、第２の読取手段をコンタクトイメージセンサ５２１として説明する。
【０１３６】
図４に示したスタートキー４０２を押下した後に、Ｓ１５０１で、ＣＰＵ２０１は、ユーザが操作部３０３の操作により両面読み取り設定が行われているか判断する。ここで、両面読み取り設定が行われていないと判断した場合は、本処理を終了する。
【０１３７】
一方、Ｓ１５０１で、両面読み取り設定が行われていると判断した場合は、Ｓ１５０２で、メモリ２０２に読み取り設定の種別が反転読みであるか、同時読みであるかをＣＰＵ２０１が判断する。
【０１３８】
ここで、ＣＰＵ２０１が反転読みを設定していると判断した場合は、本処理を終了する。
【０１３９】
一方、Ｓ１５０２で、ＣＰＵ２０１がメモリ２０２に同時読みをが設定されていると判断した場合は、Ｓ１５０３で、検知した原稿の画像の種類が写真であるかどうかを上述した手法で判断する。ここで、ＣＰＵ２０１が検知した原稿の画像の種類を写真画像でないと判断した場合は、本処理を終了する。
【０１４０】
一方、Ｓ１５０３で、ＣＰＵ２０１が検知した原稿の画像の種類を写真画像であると判断した場合は、Ｓ１５０４で、画質優先の画像が検知されたことを、例えば図１６に示す操作画面を介して通知する。
【０１４１】
図１６は、図３に示した操作部３０３に表示される警告画面の一例を示す図である。
【０１４２】
図１６において、１６０１は機能選択画面で、図１５に示すＳ１５０４で、画質を優先する原稿がスキャンされたこと、並びに、原稿読み取りを継続するかを問い合わせるための警告メッセージウインド１６０２を表示した状態である。
【０１４３】
次に、Ｓ１５０５で、ＣＰＵ２０１は、現在の処理を継続するか否かをユーザからの指示で判断する。例えば図１６に示す操作画面で、ユーザがメッセージ内容を確認して、ＯＫボタン１６０３を押下すると、本処理を終了する。
【０１４４】
一方、Ｓ１５０５で、例えば図１６に示す操作画面で、ユーザがメッセージ内容を確認して、キャンセル１６０４を押下すると、すなわち、ＣＰＵ２０１は、処理を継続しないと判断する。そして、Ｓ１５０６で、現在の読み取り処理を同時読み取りから反転読み取りに切り替えて、本処理を終了する。
【０１４５】
本実施形態では、ＣＰＵ２０１は、ＳＳ１５０３で、ＣＣＤセンサ６１６とＣＩＳ５２１により原稿の両面読み取りで同時読み取りモードが指定された場合、ＣＩＳ５２１が読み取る原稿の裏面が特定画像であるかを判別する。そして、ＣＩＳ５２１が読み取る原稿の裏面が特定画像であると判別した場合に、反転読み取りモードへ切り替えて読み取りを継続するかを確認する画面を操作部３０３に表示する。そして、ＣＰＵ２０１は、ユーザが操作部３０３からの指示で、継続要求が指示された場合に、同時読み取りモードから前記反転読み取りモードへ切り替える制御を行う。
【０１４６】
このように読み取り処理を切り替え制御することで、画質を優先するような原稿であっても、間違えて速度優先両面スキャンの読み取りを行ってしまうことを抑制することができる。
【０１４７】
本実施形態によれば、両面同時読みと、反転両面の二つの読み取り制御が可能な場合に、どの制御を使用するかユーザに設定させることが可能となる。そして、画質を優先したい場合、速度を優先したい場合をユーザが任意に設定できるため、両面読み取りの使い勝手が向上する。
【０１４８】
つまり、読み取った原稿の種類と選択されたモードによって、このまま継続しても良いかユーザに対する警告を行うことにより、第１、第２実施形態で示した動作を間違えることなく実行できるようになり、ユーザの使い勝手が飛躍的に向上する。
【０１４９】
また、上記各実施形態によれば、読み込んだ原稿の種類を自動的に判別することにより、原稿の中に、画質を気にするページ、気にしないページがあるような場合でも、気にするページは、特定の読み取り手段で読み込む。
【０１５０】
これにより、画質を一定に保ち、気にしないページは双方の読み取り手段を使用して高速に処理を行うことで、画質と処理スピードを両立させて両面読み取りを行うことが可能となり、ユーザの使い勝手がさらに向上する。
【０１５１】
〔第５実施形態〕
以下、図１７に示すメモリマップを参照して本発明に係る画像処理装置で読み取り可能なデータ処理プログラムの構成について説明する。
【０１５２】
図１７は、本発明に係る画像処理装置で読み取り可能な各種データ処理プログラムを格納する記憶媒体のメモリマップを説明する図である。
【０１５３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５５】
本実施形態における図８、図１３、図１４、図１５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５６】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５７】
この場合、記憶媒体から読み出されたプログラムコード自体が本発明の新規な機能を実現することになり、そのプログラムコードを記憶した記憶媒体は本発明を構成することになる。
【０１５８】
従って、プログラムの機能を有していれば、オブジェクトコード、インタプリタにより実行されるプログラム、ＯＳに供給するスクリプトデータ等、プログラムの形態を問わない。
【０１５９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１６０】
この場合、記憶媒体から読出されたプログラムコード自体が前述した実施形態の機能を実現することになり、そのプログラムコードを記憶した記憶媒体は本発明を構成することになる。
【０１６１】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１６３】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１６４】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６５】
本発明は上記実施形態に限定されるものではなく、本発明の趣旨に基づき種々の変形（各実施形態の有機的な組合せを含む）が可能であり、それらを本発明の範囲から排除するものではない。
【０１６６】
本発明の様々な例と実施形態を示して説明したが、当業者であれば、本発明の趣旨と範囲は、本明細書内の特定の説明に限定されるのではない。
【図面の簡単な説明】
【０１６７】
【図１】本発明の第１実施形態を示す画像読取装置を適用可能な画像処理装置の構成を説明するブロック図である。
【図２】図１に示す本実施形態のコントローラのハードウエア構成を示す図である。
【図３】本実施形態を示す画像処理装置の外観の一例を示す図である。
【図４】図３に示した操作部の一例を示す平面図である。
【図５】図３に示したスキャナ部の給紙経路と反射露光経路とを説明する詳細断面図である。
【図６】図３に示したプリンタ部のエンジン構成を説明する概略断面図である。
【図７Ａ】図４に示した操作部の操作画面の一例を示す図である。
【図７Ｂ】図４に示した操作部の操作画面の一例を示す図である。
【図７Ｃ】図４に示した操作部の操作画面の一例を示す図である。
【図８】本実施形態を示す画像処理装置における第１の制御手順の一例を示すフローチャートである。
【図９Ａ】図２に示した画像読取装置の原稿読取モードが同時読みモードによる原稿搬送状態を説明する図である。
【図９Ｂ】図２に示した画像読取装置の原稿読取モードが同時読みモードによる原稿搬送状態を説明する図である。
【図９Ｃ】図２に示した画像読取装置の原稿読取モードが同時読みモードによる原稿搬送状態を説明する図である。
【図９Ｄ】図２に示した画像読取装置の原稿読取モードが同時読みモードによる原稿搬送状態を説明する図である。
【図１０Ａ】図２に示した画像読取装置の原稿読取モードが反転読みモードによる原稿搬送状態を説明する図である。
【図１０Ｂ】図２に示した画像読取装置の原稿読取モードが反転読みモードによる原稿搬送状態を説明する図である。
【図１０Ｃ】図２に示した画像読取装置の原稿読取モードが反転読みモードによる原稿搬送状態を説明する図である。
【図１０Ｄ】図２に示した画像読取装置の原稿読取モードが反転読みモードによる原稿搬送状態を説明する図である。
【図１０Ｅ】図２に示した画像読取装置の原稿読取モードが反転読みモードによる原稿搬送状態を説明する図である。
【図１０Ｆ】図２に示した画像読取装置の原稿読取モードが反転読みモードによる原稿搬送状態を説明する図である。
【図１１】本実施形態を示す画像処理装置のスキャナの画像処理部の構成を説明する要部ブロック図である
【図１２Ａ】図３に示した操作部に表示される原稿タイプの設定画面の一例を示す図である。
【図１２Ｂ】図３に示した操作部に表示される原稿タイプの設定画面の一例を示す図である。
【図１３】本実施形態を示す画像処理装置における第２の制御手順の一例を示すフローチャートである。
【図１４】本実施形態を示す画像処理装置における第３の制御手順の一例を示すフローチャートである。
【図１５】本実施形態を示す画像処理装置における第４の制御手順の一例を示すフローチャートである。
【図１６】図３に示した操作部に表示される警告画面の一例を示す図である。
【図１７】本発明に係る画像処理装置で読み取り可能な各種データ処理プログラムを格納する記憶媒体のメモリマップを説明する図である。
【符号の説明】
【０１６８】
２０１  ＣＰＵ
２０２  メモリ
２０３  液晶ディスプレイ
２０４  キーボード
２１１  ＤＩＳＫ
２０６  プリンタ
２０８  スキャナ
【図１】
2008054140.tif 000003
【図２】
2008054140.tif 000004
【図３】
2008054140.tif 000005
【図４】
2008054140.tif 000006
【図５】
2008054140.tif 000007
【図６】
2008054140.tif 000008
【図７Ａ】
2008054140.tif 000009
【図７Ｂ】
2008054140.tif 000010
【図７Ｃ】
2008054140.tif 000011
【図８】
2008054140.tif 000012
【図９Ａ】
2008054140.tif 000013
【図９Ｂ】
2008054140.tif 000014
【図９Ｃ】
2008054140.tif 000015
【図９Ｄ】
2008054140.tif 000016
【図１０Ａ】
2008054140.tif 000017
【図１０Ｂ】
2008054140.tif 000018
【図１０Ｃ】
2008054140.tif 000019
【図１０Ｄ】
2008054140.tif 000020
【図１０Ｅ】
2008054140.tif 000021
【図１０Ｆ】
2008054140.tif 000022
【図１１】
2008054140.tif 000023
【図１２Ａ】
2008054140.tif 000024
【図１２Ｂ】
2008054140.tif 000025
【図１３】
2008054140.tif 000026
【図１４】
2008054140.tif 000027
【図１５】
2008054140.tif 000028
【図１６】
2008054140.tif 000029
【図１７】
2008054140.tif 000030